(57)【要約】【課題】コンセントのアースにアース接続部が接続されていない状態で、該アース接続部に指先が触れた状態で、誤ってスイッチ操作をしても感電する虞のないコンセントの配線状態検査具を提供する。【解決手段】チェッカは、コンセントの電源電圧極に接続される端子Ｖと、電源接地極に接続される端子Ｗと、アース端子に接続可能な端子Ｅとを備えている。漏電テスト回路35は、漏電遮断器の動作を確認するため端子Ｖと端子Ｅとの間に接続され、サイリスタ39と、手動スイッチ19とが直列に接続された直列回路を備えている。端子Ｖと端子Ｅとの間の電圧が規定電圧（１００Ｖ）と判定された際に、サイリスタ39は導通状態となる。端子Ｖと端子Ｅとの間の電圧が規定電圧でない場合は、サイリスタ39が非導通状態に保持される。【選択図】      図１
2006071493.tif 000002
【特許請求の範囲】
【請求項１】
コンセントの電源電圧極に接続される電源電圧接続部と、電源接地極に接続される電源接地接続部と、アース端子に接続可能なアース接続部とを備えたコンセントの配線状態検査具であって、
漏電遮断器の動作を確認するため前記電源電圧接続部と前記アース接続部間を導通する疑似漏電回路と、
前記電源電圧接続部と前記アース接続部間の電圧を判定する電圧判定手段と
を備え、
前記疑似漏電回路は、電源電圧接続部と前記アース接続部との間に接続され、前記電圧判定手段により前記電圧が規定電圧と判定された際に導通状態となるスイッチ手段と、手動スイッチとが直列に接続された直列回路を備えていることを特徴とするコンセントの配線状態検査具。
【請求項２】
前記電源電圧接続部と前記アース接続部との間には、前記アース接続部に人が接触した状態で感電しない抵抗値であって、かつ漏電遮断器が作動しない抵抗値を有するインピーダンス回路が前記直列回路と並列に接続されている請求項１に記載のコンセントの配線状態検査具。
【請求項３】
前記規定電圧は１００Ｖである請求項１又は請求項２に記載のコンセントの配線状態検査具。
【請求項４】
前記電源電圧極及び前記電源接地極の極性を判定する極性判定回路を備えている請求項１〜請求項３のいずれか一項に記載のコンセントの配線状態検査具。
【発明の詳細な説明】
【技術分野】
【０００１】
本発明は、コンセントの配線状態検査具に関する。
【背景技術】
【０００２】
近年、住宅の屋内又は屋外に設置されているコンセントにおいても、アースを簡単にできる接地極付きコンセントあるいはアース端子付きコンセントが使用される場合が多くなっている。接地極付きコンセントは、電源電圧極の差込口と、電源接地極の差込口と、接地極の差込口とを備えており、アース端子付きコンセントは、電源電圧極の差込口と、電源接地極の差込口と、アース端子（接地端子）とを備えている。
【０００３】
一般に、建物の電気工事が終了した後には、コンセントの極性の検査、即ち接地式配電線路での極性配線が正しく行われているか否かの検査や漏電遮断器の動作テストを行う必要がある。コンセントの極性の検査は、コンセントの差込口に検電用のプローブを差し込み、極性の判断をするのが一般的である。また、一般に、漏電遮断器の動作テストは、漏電遮断器に設けられたテスト釦を押す操作によって行われる。従って、漏電遮断器の動作テストは漏電遮断器が配置されている場所で行う必要があり、コンセントの極性の検査と同じ場所で行うことができない。そのため、作業場所を移動しなければならず、検査作業が煩わしいという問題がある。
【０００４】
この問題を解消するため、コンセントの極性の検査と、漏電遮断器の動作テストとを同じ場所で行うことが可能なコンセントチェッカが提案されている（例えば、特許文献１参照。）。このコンセントチェッカは、接地極付きコンセントとアース端子付きコンセントの両方に対応可能に構成されている。図３に示すように、コンセントチェッカは、ボディ５０の前側にコンセント６０の電源電圧極の差込口６１への差込刃５１と、電源接地極の差込口６２への差込刃５２と、接地極の差込口を備えたコンセントの場合に使用される接地用プラグ（図示せず）が設けられている。ボディ５０の後側には、一端部にプローブ５３を備えた接地線５４の他端部に接続された端子ピン５５が接続されるジャック５６が設けられている。ジャック５６は、ボディ５０の内部で接地用プラグに電気的に接続され、接地線５４を介してコンセント６０の接地端子（アース端子）６３に接続されるようになっている。
【０００５】
コンセントチェッカは、ボディ５０に設けられたスイッチを押すことにより、コンセント６０の電源電圧極と接地端子６３あるいは接地極（アース）との間に電流を流して疑似的に漏電を発生させる疑似漏電回路を備えている。このコンセントチェッカは、スイッチを押すとアース接続部に電流が流れる構成であり、アース接続部に指先が触れている状態で誤ってスイッチを押すと感電する。しかし、前記接地用プラグはボディ５０から突出する位置と突出しない後退位置とに移動可能に構成され、後退位置に配置されたでは状態では、アース接続部に指先が触れている状態で誤ってスイッチを押しても感電しないようになっている。
【特許文献１】特開２０００−１８０４９６号公報（明細書の段落［００１２］，［００２１］，［００３３］、図１，７）
【発明の開示】
【発明が解決しようとする課題】
【０００６】
ところが、前記特許文献１のコンセントチェッカは、図３に示すようなアース端子付きコンセントに対して使用する場合、即ちプローブ５３を備えた接地線５４を使用して漏電遮断器の動作テストを行う場合については、前記感電に対する対策がとられていない。従って、差込刃５１，５２が差込口６１，６２に差し込まれた状態で、かつプローブ５３に指先が触れている状態で誤ってスイッチを押すと、感電するという問題がある。
【０００７】
本発明は、以上のような従来技術に存在する問題点に着目してなされたものであって、その目的は、コンセントのアースにアース接続部が接続されていない状態で、該アース接続部に指先が触れた状態で、誤ってスイッチ操作をしても感電する虞のないコンセントの配線状態検査具を提供することにある。
【課題を解決するための手段】
【０００８】
前記の目的を達成するため、請求項１に記載の発明は、コンセントの電源電圧極に接続される電源電圧接続部と、電源接地極に接続される電源接地接続部と、アース端子に接続可能なアース接続部とを備えたコンセントの配線状態検査具であって、漏電遮断器の動作を確認するため前記電源電圧接続部と前記アース接続部間を導通する疑似漏電回路と、前記電源電圧接続部と前記アース接続部間の電圧を判定する電圧判定手段とを備え、前記疑似漏電回路は、電源電圧接続部と前記アース接続部との間に接続され、前記電圧判定手段により前記電圧が規定電圧と判定された際に導通状態となるスイッチ手段と、手動スイッチとが直列に接続された直列回路を備えていることを特徴とする。
【０００９】
この発明では、漏電遮断器の動作を確認するための疑似漏電回路には、スイッチ手段と手動スイッチとが共に導通状態となったときに電流が流れる。即ち、電源電圧接続部と前記アース接続部間の電圧が規定電圧となった状態で手動スイッチがオンに操作されたときに電流が流れる。従って、アース接続部がアース端子に接続されていない状態で、使用者が誤って手動スイッチをオン操作しても疑似漏電回路には、電流が流れず、感電を防止することができる。
【００１０】
請求項２に記載の発明は、請求項１に記載の発明において、前記電源電圧接続部と前記アース接続部との間には、前記アース接続部に人が接触した状態で感電しない抵抗値であって、かつ漏電遮断器が作動しない抵抗値を有するインピーダンス回路が前記直列回路と並列に接続されている。従って、この発明のコンセントの配線状態検査具では、配線状態検査具の電源電圧接続部が電源電圧極に、電源接地接続部が電源接地極にそれぞれ接続され、アース接続部がアース端子に接続されていない状態で使用者が誤ってアース接続部に触れた場合でも、感電を防止することができる。
【００１１】
請求項３に記載の発明は、請求項１又は請求項２に記載の発明において、前記規定電圧は１００Ｖである。従って、この発明のコンセントの配線状態検査具では、一般家庭で使用されているコンセントの配線状態の検査に好適に使用できる。
【００１２】
請求項４に記載の発明は、請求項１〜請求項３のいずれか一項に記載の発明において、前記電源電圧極及び前記電源接地極の極性を判定する極性判定回路を備えている。この発明のコンセントの配線状態検査具では、コンセントの極性の検査と、漏電遮断器の動作テストとを一つの配線状態検査具で行うことができる。
【発明の効果】
【００１３】
本発明によれば、コンセントのアースにアース接続部が接続されていない状態で、該アース接続部に指先が触れていて、誤ってスイッチ操作をしても感電する虞のないコンセントの配線状態検査具を提供することができる。
【発明を実施するための最良の形態】
【００１４】
以下、本発明をコンセントの極性の検査と、漏電遮断器の動作テストとを実施することができるように具体化したコンセントの配線状態検査具の一実施形態を図１及び図２に従って説明する。
【００１５】
コンセントの配線状態検査具としてのチェッカ１０は、図２（ａ）に示すように、チェッカ本体１１と、テスターピン１２とで構成されている。チェッカ本体１１は、ほぼ棒状をなし、その先端部にプラグ部１３を備えている。プラグ部１３は、コンセントの電源電圧極に接続される電源電圧接続部としての電圧側差込刃１４と、電源接地極に接続される電源接地接続部としての接地側差込刃１５とを備えている。
【００１６】
チェッカ本体１１の基端側には、検電表示用ＬＥＤ１６、極性表示用ＬＥＤ１７及び接地表示用ＬＥＤ１８が順に配設され、各ＬＥＤ１６〜１８の発光状態を視認できるようになっている。これらのＬＥＤ１６〜１８より基端側には、漏電遮断器の動作テスト用の手動スイッチ１９と、人体の一部である指を接触して極性を判別するためのタッチ端子２０とが設けられている。タッチ端子２０より基端側には検電したときに鳴るブザーの音量を調節する調節つまみ２１が取付けられている。調節つまみ２１より基端側には２００Ｖを検知したときに点灯する２００Ｖ表示用ＬＥＤ２２が配設されている。
【００１７】
テスターピン１２は、リード線２３の一端にプローブ２４が設けられ、他端に端子ピン２５が設けられて構成されている。プローブ２４はコンセントのアース端子に接続するためのものであり、端子ピン２５はチェッカ本体１１の基端側の側面に設けられたジャック２６（図２（ｂ）に図示）に挿入するためのものである。テスターピン１２は、コンセントのアース端子に接続可能なアース接続部を構成する。
【００１８】
次に、チェッカ１０の電気的構成について説明する。
図１に示すように、チェッカ１０は、第１の電源回路３０、検電表示用ＬＥＤ点灯及びブザー発音回路３１、極性表示用ＬＥＤ及び２００Ｖ表示用ＬＥＤ点灯回路３２、第２の電源回路３３、接地表示用ＬＥＤ点灯回路３４及び漏電テスト回路３５を備えている。
【００１９】
第１の電源回路３０は、ダイオードＤ１を介して端子Ｗに接続され、ヒューズＦを介して端子Ｖに接続されている。ダイオードＤ１は、アノード側が端子Ｗに接続され、カソード側が抵抗、ツェナーダイオード等を介して端子Ｖに接続されている。ダイオードＤ１は、半波整流用のダイオードであり、第１の電源回路３０、検電表示用ＬＥＤ点灯及びブザー発音回路３１、極性表示用ＬＥＤ及び２００Ｖ表示用ＬＥＤ点灯回路３２に半端整流された電流を流す働きをする。ヒューズＦは回路に過電流が印加された時に溶断され、回路を保護するものである。端子Ｖは電圧側差込刃１４に電気的に接続され、端子Ｗは接地側差込刃１５に電気的に接続されている。
【００２０】
ダイオードＤ２は、アノード側が端子Ｅに接続され、カソード側が抵抗、ツェナーダイオード等を介して端子Ｖに接続されている。端子Ｅはジャック２６に電気的に接続されている。ダイオードＤ２は、半波整流用のダイオードであり、接地表示用ＬＥＤ点灯回路３４及び漏電テスト回路３５に半波整流された電流を流す働きをする。
【００２１】
回路は、端子Ｖ側（電源電圧側）を回路上のグランドラインとしている。端子Ｖと端子Ｗのみに接続する回路ならば、通常、端子Ｗ側をグランドラインにするか、又は全波整流するのが一般的である。しかし、本回路では、端子Ｖと端子Ｗの極性判定が必要であることから、全波整流してしまうと、極性が分からなくなる。また、端子Ｗ側をグランドとした場合、端子Ｖと端子Ｅとによる接地表示用ＬＥＤ点灯回路３４及び漏電テスト回路３５では端子Ｗ側をグランドラインにすることができない。そのため、端子Ｗ及び端子Ｅと共通に接続される端子Ｖ側をグランドラインとした。
【００２２】
第１の電源回路３０は、トランジスタを用いた定電圧回路であり、ツェナーダイオードＺＤ１、抵抗Ｒ２、ツェナーダイオードＺＤ２の直列回路がダイオードＤ１とヒューズＦとの間に接続されている。ＮＰＮ形のトランジスタＴｒ１のベースに抵抗Ｒ２とツェナーダイオードＺＤ２との中点が接続され、トランジスタＴｒ１のコレクタに抵抗Ｒ１を介してダイオードＤ１のカソードが接続されている。トランジスタＴｒ１のエミッタは平滑コンデンサＣ１を介して端子Ｖに接続されている。ツェナーダイオードＺＤ１は、ツェナ電圧Ｖｚ１が約４０Ｖに設定されている。エミッタの出力であるａ点の電圧は、平滑コンデンサＣ１により平滑化され、検電表示用ＬＥＤ１６及び後述するブザーＢＺの電源となる。
【００２３】
平滑コンデンサＣ１に対して抵抗Ｒ３とツェナーダイオードＺＤ３の直列回路が並列に接続され、ツェナーダイオードＺＤ３に並列にコンデンサＣ２が接続されている。抵抗Ｒ３、ツェナーダイオードＺＤ３及びコンデンサＣ２はａ点の電圧からツェナーダイオードＺＤ３のツェナ電圧をａ’点（端子）に取り出す回路を構成し、ツェナーダイオードＺＤ３のツェナ電圧Ｖｚ３は、例えば、３．６Ｖに設定されており、ａ’点に取り出された３，６Ｖの電圧は、後述するＩＣの動作電源用端子に供給される。
【００２４】
検電表示用ＬＥＤ点灯及びブザー発音回路３１は、抵抗Ｒ４、抵抗Ｒ５、コンデンサＣ３、ダイオードＤ４、抵抗Ｒ６、抵抗Ｒ７、コンデンサＣ４及び複数のインバータ素子（ＮＯＴ回路）を備えたＩＣ内の４個のインバータ素子からなる発振回路３６を備えている。発振回路３６は、入力側がダイオードＤ３を介して第１の電源回路３０に接続され、出力側が抵抗Ｒ８を介してＮＰＮ形のトランジスタＴｒ２のベースに接続されている。トランジスタＴｒ２はエミッタが端子Ｖ側に接続され、第１の電源回路３０のａ点と、トランジスタＴｒ２のコレクタとの間に、抵抗Ｒ９と検電表示用ＬＥＤ１６との直列回路が接続されている。また、第１の電源回路３０のａ点と、トランジスタＴｒ２のコレクタとの間に、可変抵抗ＶＲとブザーＢＺとの直列回路が接続されている。従って、トランジスタＴｒ２がオンになると、ａ点より抵抗Ｒ９を介して検電表示用ＬＥＤ１６に電流が流れて検電表示用ＬＥＤ１６が点滅し、可変抵抗ＶＲを介してブザーＢＺに電流が流れてブザーＢＺが発音する。可変抵抗ＶＲはブザーＢＺの音量を調整するためのものであり、調節つまみ２１を操作する（回す）ことにより抵抗値を変更でき、抵抗値の変更に伴ってブザーＢＺに流れる電流が変化してブザーＢＺの音量が調整される。
【００２５】
極性表示用ＬＥＤ及び２００Ｖ表示用ＬＥＤ点灯回路３２は、ダイオードＤ１のカソード側とヒューズＦとの間に、ツェナーダイオードＺＤ４、ツェナーダイオードＺＤ５及び抵抗Ｒ１０の直列回路が接続されている。ツェナーダイオードＺＤ４のツェナ電圧Ｖｚ４は約４０Ｖ、ツェナーダイオードＺＤ５のツェナ電圧Ｖｚ５は１００Ｖにそれぞれ設定されている。
【００２６】
ツェナーダイオードＺＤ４及びツェナーダイオードＺＤ５の中点とヒューズＦとの間に、抵抗Ｒ１１及びツェナーダイオードＺＤ６の直列回路が接続されている。抵抗Ｒ１１及びツェナーダイオードＺＤ６の中点とヒューズＦとの間に、ＮＰＮ形のトランジスタＴｒ５、抵抗Ｒ１７及びツェナーダイオードＺＤ８の直列回路が接続され、ツェナーダイオードＺＤ８に対して抵抗Ｒ２０及びコンデンサＣ６がそれぞれ並列に接続されている。ツェナーダイオードＺＤ８のツェナ電圧Ｖｚ８は３．６Ｖに設定されている。コンデンサＣ６は平滑用、抵抗Ｒ２０はノイズ除去用である。ツェナーダイオードＺＤ４，ＺＤ５，ＺＤ６，ＺＤ８は、コンセントの電源電圧極及び電源接地極の極性を判定する極性判定回路を構成する。
【００２７】
トランジスタＴｒ５のベースには抵抗Ｒ１８及び抵抗Ｒ１９の直列回路を介してタッチ端子２０が接続されている。抵抗Ｒ１８及び抵抗Ｒ１９の合計抵抗は、感電等の危険のない十分に高い抵抗（１．２ＭΩ＋１．２ＭΩ＝２．４ＭΩ）であり、抵抗を２個に分けているのは万が一、片方の抵抗が短絡しても、もう一方の抵抗により感電を防ぐことができるためである。
【００２８】
また、極性表示用ＬＥＤ及び２００Ｖ表示用ＬＥＤ点灯回路３２は、第１の電源回路３０のａ点と、ヒューズＦとの間に抵抗Ｒ１５、極性表示用ＬＥＤ１７、ＮＰＮ形のトランジスタＴｒ４の直列回路が接続されている。抵抗Ｒ１７及びツェナーダイオードＺＤ８の中点は２個のインバータ（ＮＯＴ回路）を直列に接続して構成されたバッファ回路に接続され、バッファ回路は抵抗Ｒ１６を介してトランジスタＴｒ４のベースに接続されている。バッファ回路に接続するのは、トランジスタＴｒ５から供給される微弱な電流から、取り出せる電流を増やすことができるためである。
【００２９】
ツェナーダイオードＺＤ５及び抵抗Ｒ１０の中点とヒューズＦとの間に、抵抗Ｒ１４及びツェナーダイオードＺＤ７の直列回路が接続され、ツェナーダイオードＺＤ７と並列にコンデンサＣ５が接続されている。ツェナーダイオードＺＤ７のツェナ電圧Ｖｚ７は３．６Ｖに設定されている。コンデンサＣ５はツェナーダイオードＺＤ７の両端に発生するツェナ電圧Ｖｚ７を平滑化するためのものである。
【００３０】
また、極性表示用ＬＥＤ及び２００Ｖ表示用ＬＥＤ点灯回路３２は、第２の電源回路３３の後記する出力側のｂ点（端子）と、ヒューズＦとの間にＰＮＰ形のトランジスタＴｒ３、抵抗Ｒ１２、２００Ｖ表示用ＬＥＤ２２の直列回路が接続されている。抵抗Ｒ１４及びツェナーダイオードＺＤ７の中点と、トランジスタＴｒ３のベースとはインバータ（ＮＯＴ回路）及び抵抗Ｒ１３の直列回路が接続されている。
【００３１】
第２の電源回路３３は、第１の電源回路３０と同様にトランジスタを用いた定電圧回路である。第２の電源回路３３を構成する抵抗Ｒ２１、抵抗Ｒ２２、抵抗Ｒ２３、ツェナーダイオードＺＤ９、ツェナーダイオードＺＤ１０、ツェナーダイオードＺＤ１１、コンデンサＣ７、コンデンサＣ８及びトランジスタＴｒ６の接続関係は第１の電源回路３０と同じである。そして、抵抗Ｒ２１，Ｒ２２，Ｒ２３の抵抗値やツェナーダイオードＺＤ９，ＺＤ１０，ＺＤ１１のツェナ電圧が第１の電源回路３０と変更されており、端子Ｖと端子Ｗとの間に１００Ｖ又は２００Ｖが印加されると、ｂ点（端子）に１５Ｖが発生するようになっている。そして、ｂ点は、接地表示用ＬＥＤ点灯回路３４及び漏電テスト回路３５に使用されている後記する論理回路用のＩＣの動作電源用端子に接続されている。
【００３２】
接地表示用ＬＥＤ点灯回路３４は、端子Ｖ（ヒューズＦ）と端子Ｅとの間に、ツェナーダイオードＺＤ１２、ツェナーダイオードＺＤ１３及び抵抗Ｒ２４、抵抗Ｒ２５の直列回路が接続されている。抵抗Ｒ２４、抵抗Ｒ２５の直列回路に対して並列に、抵抗Ｒ２６、抵抗Ｒ２７及びツェナーダイオードＺＤ１５の直列回路が接続され、ツェナーダイオードＺＤ１５と並列にコンデンサＣ１０が接続されている。ツェナーダイオードＺＤ１２のツェナ電圧Ｖｚ１２は約４０Ｖ、ツェナーダイオードＺＤ１３のツェナ電圧Ｖｚ１３は１００Ｖに設定されている。ツェナーダイオードＺＤ１５のツェナ電圧Ｖｚ１５は１５Ｖに設定されている。抵抗Ｒ２４，Ｒ２５、Ｒ２６，Ｒ２７、Ｒ２８，Ｒ２９、Ｒ３０，Ｒ３１は、アース接続部に人が接触した状態で感電しない抵抗値であって、かつ漏電遮断器が作動しない抵抗値（例えば、各々５００ｋΩ）を有するインピーダンス回路を構成する。
【００３３】
ツェナーダイオードＺＤ１２及びツェナーダイオードＺＤ１３の中点とヒューズＦとの間に、抵抗Ｒ３０、抵抗Ｒ３１及びツェナーダイオードＺＤ１４の直列回路が接続されている。ツェナーダイオードＺＤ１４に対して並列に、抵抗Ｒ２８及び抵抗Ｒ２９の直列回路と、コンデンサＣ９とがそれぞれ接続されている。ツェナーダイオードＺＤ１４のツェナ電圧Ｖｚ１４は１５Ｖに設定されている。コンデンサＣ９、抵抗Ｒ２８及び抵抗Ｒ２９はツェナ電圧Ｖｚ１４を平滑化し、ノイズを除去するためのものである。
【００３４】
また、接地表示用ＬＥＤ点灯回路３４は、第２の電源回路３３のｂ点と、ヒューズＦとの間にＰＮＰ形のトランジスタＴｒ７、抵抗Ｒ３３、接地表示用ＬＥＤ１８の直列回路が接続されている。トランジスタＴｒ７のベースは、抵抗Ｒ３２を介してＮＡＮＤ回路３７の出力端子に接続されている。ＮＡＮＤ回路３７は、一方の入力端子が抵抗Ｒ３１とツェナーダイオードＺＤ１４との中点に接続され、他方の入力端子がＮＯＴ回路３８を介して抵抗Ｒ２７とツェナーダイオードＺＤ１５との中点に接続されている。ＮＡＮＤ回路３７及びＮＯＴ回路３８は電圧判定手段を構成する。
【００３５】
また、疑似漏電回路としての漏電テスト回路３５は、ヒューズＦと端子Ｅとの間に、手動スイッチ１９、抵抗Ｒ３７、抵抗Ｒ３６及びサイリスタ３９の直列回路が接続されている。サイリスタ３９は、アノードが抵抗Ｒ３６に、カソードがヒューズＦにそれぞれ接続されている。サイリスタ３９のゲートは抵抗Ｒ３４及びＮＯＴ回路４０の直列回路を介してＮＡＮＤ回路３７の出力端子に接続され、抵抗Ｒ３５を介してヒューズＦに接続されている。漏電遮断器は漏電の感度電流が３０ｍＡのものが一般的であるため、この実施形態では、漏電テスト回路３５に流れる電流の大きさは３０ｍＡに設定されている。
【００３６】
次に、前記のように構成されたチェッカ１０の作用を説明する。
チェッカ１０をコンセントの極性の検査に使用する場合は、プラグ部１３の電圧側差込刃１４及び接地側差込刃１５がコンセントの孔に差し込まれる。コンセントの電源電圧極側及び電源接地極側の各配線接続状態が正常であれば、第１の電源回路３０において、４０Ｖ以上が端子Ｖと端子Ｗとの間に印加されたとき、抵抗Ｒ２とツェナーダイオードＺＤ２との直列回路の両端に端子Ｖと端子Ｗとの間の電圧より４０Ｖを引いた電圧が発生する。すると、抵抗Ｒ２を介してトランジスタＴｒ１のベースに電流が供給され、抵抗Ｒ１を介してコレクタ、エミッタ間に電流が流れ、ａ点（端子）に電圧が出力される。この電圧が検電表示用ＬＥＤ１６及びブザーＢＺへの供給電圧となる。
【００３７】
また、ツェナーダイオードＺＤ３のツェナ電圧である３．６Ｖがａ’点に取り出され、その電圧が発振回路３６を構成するＩＣの動作電源用端子に供給される。そして、発振回路３６の出力によりトランジスタＴｒ２が所定周期でオンになると、ａ点より抵抗Ｒ９を介して検電表示用ＬＥＤ１６に電流が流れて検電表示用ＬＥＤ１６が点滅し、可変抵抗ＶＲを介してブザーＢＺに電流が流れてブザーＢＺが発音する。
【００３８】
また、極性表示用ＬＥＤ及び２００Ｖ表示用ＬＥＤ点灯回路３２においては、端子Ｖと端子Ｗとの間に４０Ｖ以上の電圧が印加されると、ツェナーダイオードＺＤ５及び抵抗Ｒ１０が直列に接続された直列回路の両端に、端子Ｖと端子Ｗとの間の電圧から４０Ｖを引いた電圧が発生する。この電圧が、抵抗Ｒ１１と直列に接続されたツェナーダイオードＺＤ６のツェナ電圧Ｖｚ６を超えた場合、ツェナーダイオードＺＤ６の両端に、ツェナ電圧Ｖｚ６が発生する。この電圧がトランジスタＴｒ５に供給された状態となる。
【００３９】
この状態でタッチ端子２０を手で触れると、人体、抵抗Ｒ１７及びツェナーダイオードＺＤ８、抵抗Ｒ２０、コンデンサＣ６の並列回路を介して微弱電流が流れ、トランジスタＴｒ５がオン状態になる。そして、ツェナーダイオードＺＤ８のツェナ電圧Ｖｚ８がバッファ回路及び抵抗Ｒ１６を介してトランジスタＴｒ４に供給されてトランジスタＴｒ４がオンになり、ａ点から極性表示用ＬＥＤ１７及びトランジスタＴｒ４に電流が流れて極性表示用ＬＥＤ１７が点灯する。
【００４０】
端子Ｖ及び端子Ｗ間の電圧が１４０Ｖを超えた場合、極性ランプ表示回路が動作するとともに、抵抗Ｒ１０の両端に端子Ｖ及び端子Ｗ間の電圧から１４０Ｖを差し引いた電圧が発生する。この電圧がツェナーダイオードＺＤ７のツェナ電圧Ｖｚ７を超えると、ツェナーダイオードＺＤ７の両端にツェナ電圧Ｖｚ７が発生する。そして、インバータの出力が０Ｖ（Ｌｏｗ）になり、ＰＮＰ型のトランジスタＴｒ３がオンとなり、ｂ点から電流がトランジスタＴｒ３、抵抗Ｒ１２、２００Ｖ表示用ＬＥＤ２２と流れ、２００Ｖ表示用ＬＥＤ２２が点灯する。
【００４１】
第２の電源回路３３は、端子Ｖ及び端子Ｗ間に１００Ｖ又は２００Ｖの電圧が印可されると、ｂ点に１５Ｖが発生する。そして、ｂ点の電圧がトランジスタＴｒ７、抵抗Ｒ３３及び接地表示用ＬＥＤ１８の直列回路と、ＮＡＮＤ回路３７やＮＯＴ回路３８，４０等の論理回路用ＩＣの動作電源端子とに供給される。
【００４２】
接地表示用ＬＥＤ点灯回路３４及び漏電テスト回路３５においては、端子Ｖ及び端子Ｗ間に４０Ｖ以上の電圧が印加されると、ツェナーダイオードＺＤ１３、抵抗Ｒ２４、抵抗Ｒ２５の直列回路の両端に、端子Ｖ及び端子Ｗ間電圧から４０Ｖを差し引いた電圧が発生する。この電圧はＮＡＮＤ回路３７の入力端子に供給される。
【００４３】
また、端子Ｖ及び端子Ｅ（アース）間に１４０Ｖ以上の電圧が印加されると、抵抗Ｒ２４及び抵抗Ｒ２５の直列回路の両端に、端子Ｖ及び端子Ｅ間電圧から４０Ｖを差し引いた電圧が発生する。この電圧がツェナーダイオードＺＤ１５のツェナ電圧Ｖｚ１５を超えると、ツェナーダイオードＺＤ１５の両端にツェナ電圧Ｖｚ１５が立ち上がる。
【００４４】
ここで、端子Ｖ及び端子Ｅ間が１００Ｖの場合は、ツェナーダイオードＺＤ１４の両端の電圧は１５Ｖで、ツェナーダイオードＺＤ１５の両端の電圧は０Ｖである。ツェナーダイオードＺＤ１５の電圧はＮＯＴ回路３８により反転されて１５Ｖになるため、ＮＡＮＤ回路３７の入力は１：１となり、その出力は０Ｖ（Ｌｏｗレベル）となる。その結果、トランジスタＴｒ７がオン状態となり、ｂ点の電流がトランジスタＴｒ７、抵抗Ｒ３３及び接地表示用ＬＥＤ１８を流れて接地表示用ＬＥＤ１８が点灯する。
【００４５】
一方、端子Ｖ及び端子Ｅ間が２００Ｖの場合は、ツェナーダイオードＺＤ１４及びツェナーダイオードＺＤ１５の両端の電圧は１５Ｖであり、ツェナーダイオードＺＤ１５の電圧はＮＯＴ回路３８により反転されて０Ｖになるため、ＮＡＮＤ回路３７の入力は１：０となり、その出力は１５Ｖ（Ｈｉｇｈレベル）となる。その結果、トランジスタＴｒ７はオン状態とならない。
【００４６】
つまり、端子Ｖ及び端子Ｅ間が１００Ｖのときは接地表示用ＬＥＤ１８が点灯し、端子Ｖ及び端子Ｅ間が２００Ｖのときは接地表示用ＬＥＤ１８が消灯したままとなる。従って、単相３線式回路（配線）において、コンセントへの配線が正しいか、アース端子と、電源接地極とが間違って接続されたかを判別できる。
【００４７】
また、検電中において、チェッカ本体１１に接続したままのテスターピン１２のプローブ２４を誤って触ってしまっても、感電しない十分な抵抗値を有する抵抗Ｒ２４，Ｒ２５、抵抗Ｒ２６，Ｒ２７、抵抗Ｒ２８，Ｒ２９、抵抗Ｒ３０，Ｒ３１が漏電テスト回路３５と並列に接続されているため、感電が防止される。また、抵抗が２個ずつ直列にして使用されているため、どちらか一方が短絡しても、もう一方の抵抗により感電を防ぐことができる。また、接地表示用ＬＥＤ点灯回路３４は、人体が触れた状態、即ち人体アースのような高インピーダンスで接地されたときはオンされず、十分に低い接地抵抗のときに接地表示用ＬＥＤ１８が点灯する。
【００４８】
次に漏電遮断器の動作テストを行う場合の作用を説明する。漏電遮断器の動作テストを行う場合は、テスターピン１２の端子ピン２５をチェッカ本体１１のジャック２６に挿入してチェッカ１０を使用する。そして、プラグ部１３をコンセントに接続し、プローブ２４をコンセントのアース端子に挿入する。
【００４９】
接地表示用ＬＥＤ１８が点灯した状態、即ちＮＡＮＤ回路３７の出力が論理レベル０（０Ｖ）の場合、ＮＡＮＤ回路３７の出力は、ＮＯＴ回路４０で反転されて１５Ｖとなってサイリスタ３９のゲートに入力され、サイリスタ３９がオンになる。サイリスタ３９がオンになっても、サイリスタ３９のアノード−カソード間には手動スイッチ１９、抵抗Ｒ３７及び抵抗Ｒ３６の直列回路が接続されているため、手動スイッチ１９がオフの状態ではサイリスタ３９のアノード−カソード間には電流が流れない。サイリスタ３９がオンの状態で手動スイッチ１９をオン操作すると、端子Ｖ及び端子Ｅ（アース）間が手動スイッチ１９、抵抗Ｒ３７、抵抗Ｒ３６、サイリスタ３９のアノード及びカソードを介して導通状態となり、漏電テスト回路３５に電流が流れて疑似漏電状態となる。そして、漏電遮断器が正常であれば、漏電テスト回路３５に電流が流れた状態で漏電遮断器が動作する。
【００５０】
つまり、この漏電テスト回路３５は接地表示用ＬＥＤ点灯回路３４とリンクしており、手動スイッチ１９をオン操作しただけではオン状態とならず、接地表示用ＬＥＤ１８が点灯した状態で手動スイッチ１９をオン操作しなければオン状態にならない。従って、接地検査以外のときに、チェッカ本体１１に接続したままのテスターピン１２のプローブ２４に指先等が触れた状態で手動スイッチ１９を誤って操作しても、感電を防ぐことができる。
【００５１】
この実施の形態では以下の効果を有する。
（１）チェッカ１０は、漏電遮断器の動作を確認するため、電源電圧接続部（端子Ｖ）とアース接続部（端子Ｅ）との間に接続された疑似漏電回路（漏電テスト回路３５）が設けられている。漏電テスト回路３５は、端子Ｖと端子Ｅとの間の電圧が規定電圧と判定された際に導通状態となるスイッチ手段（サイリスタ３９）と、手動スイッチ１９とが直列に接続された直列回路を備えている。そして、端子Ｖと端子Ｅとの間の電圧が規定電圧でない場合は、スイッチ手段が非導通状態に保持される。従って、漏電テスト回路３５には、端子Ｅがアース端子に接続されていない状態で、使用者が誤って手動スイッチ１９をオン操作しても漏電テスト回路３５には電流が流れず、使用者がプローブ２４に触れても感電を防止することができる。
【００５２】
（２）端子Ｖと端子Ｅとの間には、端子Ｅに人が接触した状態で感電しない抵抗値であって、かつ漏電遮断器が作動しない抵抗値を有するインピーダンス回路が漏電テスト回路３５と並列に接続されている。従って、チェッカ１０の端子Ｖが電源電圧極に、端子Ｗが電源接地極にそれぞれ接続され、端子Ｅがアース端子に接続されていない状態で使用者が誤ってプローブ２４に触れた場合でも、感電を防止することができる。
【００５３】
（３）前記規定電圧は１００Ｖである。従って、このコンセントの配線状態検査具（チェッカ１０）では、一般家庭で使用されている１００Ｖ用のコンセントの配線状態の検査に好適に使用できる。
【００５４】
（４）接地表示用ＬＥＤ１８が点灯した状態でスイッチ手段（サイリスタ３９）がオン状態となる。従って、漏電遮断器の動作テストが可能な状態か否かを接地表示用ＬＥＤ１８が点灯されているか否かで簡単に判断できる。また、接地表示用ＬＥＤ１８が点灯されているか否かで、コンセントのアース端子が接地されているか否かを判別することができる。
【００５５】
（５）チェッカ１０は、コンセントの電源電圧極及び電源接地極の極性を判定する極性判定回路を備えている。従って、コンセントの極性の検査と、漏電遮断器の動作テストとを一つの配線状態検査具で行うことができる。
【００５６】
（６）チェッカ１０を構成する回路のグランドラインを電源電圧側にしている。従って、コンセントの極性の検査を行う極性判定回路と、接地表示用ＬＥＤ点灯回路３４及び漏電テスト回路３５を共通のグランドラインで構成でき、回路全体の構成が簡単になる。
【００５７】
（７）検電表示用ＬＥＤ１６、極性表示用ＬＥＤ１７、接地表示用ＬＥＤ１８、２００Ｖ表示用ＬＥＤ２２及びブザーＢＺ駆動用の電源が、コンセントから電力が供給される定電圧回路（第１の電源回路３０及び第２の電源回路３３）により構成されている。従って、電池等の直流電源を別に設ける必要がない。
【００５８】
なお、実施形態は前記に限定されるものではなく、例えば次のように構成してもよい。
・  ＡＮＤ回路、ＮＡＮＤ回路、ＮＯＴ回路のＩＣは同じ回路を複数個（例えば、４個）含むパッケージとして作られているものが一般的であるため、ＮＡＮＤ回路とＮＯＴ回路を使用する回路では、ＮＡＮＤ回路のＩＣパッケージを使用して一部のＮＡＮＤ回路をＮＯＴ回路の機能を果たすように使用してもよい。例えば、接地表示用ＬＥＤ点灯回路３４及び漏電テスト回路３５において、ＮＯＴ回路３８及びＮＯＴ回路４０に代えてＮＡＮＤ回路の入力を共通にした構成を採用してもよい。
【００５９】
・  アース端子付きコンセントにおける配線状態の検査に限らず、接地極付きコンセントにおける配線状態の検査に使用してもよい。その場合、極性の検査はプラグ部１３をコンセントに接続することで前記と同様に行われ、漏電遮断器の動作テストは、テスターピン１２を使用し、プローブ２４を接地極に挿入する。
【００６０】
・  コンセントの配線状態検査具として、第２の電源回路３３、接地表示用ＬＥＤ点灯回路３４及び漏電テスト回路３５を備え、第１の電源回路３０、検電表示用ＬＥＤ点灯及びブザー発音回路３１、極性表示用ＬＥＤ及び２００Ｖ表示用ＬＥＤ点灯回路３２は備えない構成としてもよい。この場合、コンセントの極性の検査は通常の極性検査のみを行うチェッカで行い、配線状態検査具は漏電遮断器の動作テストに使用する。しかし、コンセントの設置箇所で極性の検査と漏電遮断器の動作テストを行うことができる。
【００６１】
・  電源電圧接続部（端子Ｖ）とアース接続部（端子Ｅ）間の電圧を判定する電圧判定手段が規定電圧と判定した際に点灯する接地表示用ＬＥＤ１８をなくしてもよい。即ち、トランジスタＴｒ７、抵抗Ｒ３３、接地表示用ＬＥＤ１８の直列回路を備えていなくてもよい。この場合もコンセントのアース端子あるいは接地極が正しく接地されている状態でサイリスタ３９がオン状態となり、その状態で手動スイッチ１９がオン操作されると、漏電テスト回路３５に電流が流れて疑似漏電状態となり、漏電遮断器が動作する。しかし、接地表示用ＬＥＤ１８があった方が規定電圧か否かの確認が容易である。また、接地表示用ＬＥＤ１８以外の報知手段（例えば、ブザー）を設けてもよい。
【００６２】
・  検電表示用ＬＥＤ１６、極性表示用ＬＥＤ１７、接地表示用ＬＥＤ１８、２００Ｖ表示用ＬＥＤ２２及びブザーＢＺ駆動用の電源を第１の電源回路３０や第２の電源回路３３とする構成に代えて、電池等の別の直流電源を使用する構成としてもよい。
【００６３】
・  漏電テスト回路３５に使用するスイッチング手段はサイリスタ３９に限らず、例えば、ＩＧＢＴ（絶縁ゲートバイポーラ型トランジスタ）やパワーＭＯＳＦＥＴを使用してもよい。
【００６４】
・  漏電テスト回路３５と並列に接続されたそれぞれ２個の抵抗Ｒ２４，Ｒ２５、抵抗Ｒ２６，Ｒ２７、抵抗Ｒ２８，Ｒ２９、抵抗Ｒ３０，Ｒ３１は、直列に接続する代わりに、並列に接続してもよい。但し、並列に接続する場合は、各抵抗の抵抗値は直列の場合より大きな値（例えば、２倍の大きさ）にする。
【００６５】
・  電圧判定手段は、ツェナーダイオード、抵抗、コンデンサ及び論理回路の組合せで構成される物に限らず、端子Ｖ及び端子Ｅ間の電圧を直接又は分圧したものと、基準電圧とを比較する比較器を使用した構成としてもよい。
【００６６】
・  漏電テスト回路３５のスイッチ手段がオン状態になる規定電圧は１００Ｖに限らず、例えば２００Ｖであってもよい。この場合、住宅用のコンセントで２００Ｖ専用のコンセントの検査に使用できる。但し、２００Ｖ専用のコンセントの場合は、プラグ部１３に設けられる電圧側差込刃１４及び接地側差込刃１５が１００Ｖ用のコンセントとの場合と異なる形状や配置になる。
【００６７】
次に前記実施形態より把握できる技術的思想について以下に記載する。
（１）請求項１〜請求項４のいずれか一項に記載の発明において、前記電圧判定手段により前記電圧が規定電圧と判定された際に作動される報知手段を備えている。この場合、配線状態検査具の使用者は、スイッチ手段が導通状態にあることを確認して、手動スイッチをオン操作することができる。従って、スイッチ手段が導通状態にあることを確認して手動スイッチをオン操作した場合に漏電遮断器が動作しなければ、漏電遮断器の故障と判断できる。
【００６８】
（２）前記技術的思想（１）に記載の報知手段はＬＥＤである。この場合、簡単な構成でスイッチ手段が導通状態にあることを使用者に報知することができる。
【図面の簡単な説明】
【００６９】
【図１】一実施形態におけるコンセントの配線状態検査具の電気回路図。
【図２】（ａ）はコンセントの配線状態検査具の概略平面図、（ｂ）はチェッカ本体の部分概略側面図。
【図３】従来技術のコンセントチェッカの模式斜視図。
【符号の説明】
【００７０】
１０…コンセントの配線状態検査具としてのチェッカ、１２…アース接続部を構成するテスターピン、１４…電源電圧接続部としての電圧側差込刃、１５…電源接地接続部としての接地側差込刃、１９…手動スイッチ、２６…アース接続部を構成するジャック、３７…電圧判定手段を構成するＮＡＮＤ回路、３８…同じくＮＯＴ回路、３９…スイッチ手段としてのサイリスタ、Ｒ２４，Ｒ２５、Ｒ２６，Ｒ２７、Ｒ２８，Ｒ２９、Ｒ３０，Ｒ３１…インピーダンス回路を構成する抵抗、ＺＤ４，ＺＤ５，ＺＤ６，ＺＤ８…極性判定回路を構成するツェナーダイオード、ＺＤ１２，ＺＤ１３，ＺＤ１４，ＺＤ１５…電圧判定手段を構成するツェナーダイオード。
【図１】
2006071493.tif 000003
【図２】
2006071493.tif 000004
【図３】
2006071493.tif 000005